(57)【要約】      （修正有）【課題】窓シャッターの座板や錠装置に開閉操作用の操作ひもを取付けるにあたり、操作ひもの取付け方を改良することにより操作性を向上させ、また、錠装置の耐久性向上を図る。【解決手段】シャッターカーテン３の下端部に錠装置６を設け、前記錠装置６の開錠操作レバー６dに操作ひも８を取付けてシャッター開閉操作する窓シャッターであって、操作ひも８の一端を錠装置６の開錠操作レバー６dに取付け、他端を錠本体部又は座板５に取付けて前記操作ひも８を略ループ状とし、前記操作ひも８の中間部を引き上げ引き下げすることでシャッターを開閉操作する。【選択図】図２
2010203059.tif 000002
【特許請求の範囲】
【請求項１】
シャッターカーテンの下端部に錠装置を設け、前記錠装置の開錠操作レバーに操作ひもを取付けてシャッター開閉操作するようにした窓シャッターであって、操作ひもの一端を錠装置の開錠操作レバーに取付け、他端を錠本体部又は座板に取付けて前記操作ひもを略ループ状とし、前記操作ひもの中間部を引き上げ引き下げすることでシャッター開閉操作するようにしたことを特長とする窓シャッター装置。
【発明の詳細な説明】
【技術分野】
【０００１】
本発明は、住宅用の窓に設置される窓シャッター装置の技術分野に関するものである。
【背景技術】
【０００２】
従来、住宅の窓に設置される窓シャッターにおいて、シャッターを閉鎖すると自動的に施錠されて、かつ、開錠レバーとシャッター開閉用の持ち手が兼用であって手で持ち上げると開錠とシャッター開放操作が同時にできるものが知られている。さらには、前記持ち手に操作ひもを取付けて、窓シャッターの全開時に操作ひもを垂らしておくことで、開口が高い場合でも容易に閉鎖操作ができるようにしたものが知られている。
【先行技術文献】
【特許文献】
【０００３】
【特許文献１】特開平８−１０９７８０号公報
【特許文献２】特開２００４−３３７０号公報
【発明の概要】
【発明が解決しようとする課題】
【０００４】
上記特許文献１に示すシャッターは、シャッターカーテンの下端部に施錠装置があり、シャッターカーテンを閉鎖すると自動的に施錠され、操作レバーを持ち上げると開錠とシャッター開放操作が同時に出来るようになっている。
上記特許文献２に示すシャッターは、施錠装置（錠機構）の開錠レバー（解除レバー）に開閉操作用の紐を取付け、紐を引き上げると開錠とシャッター開放が同時に出来て、引き下げるとシャッターの閉鎖が出来るようになっている。
ところが、本来は施錠機構を動かすだけの開錠レバーに操作用の紐を取付けてシャッター開閉操作を行うため、開閉操作時に大きな負荷がかかり開錠レバーが故障しやすくなる恐れがあり、開錠レバーに関わる部材を堅牢に設計することでコスト上昇を招いていた。本発明は、シャッター開閉操作時に開錠レバーにかかる負荷を軽減することで開錠レバーに関わる部材の設計を容易にし、さらには耐久性の高い窓シャッター装置を提供することを技術的課題とするものである。
【課題を解決するための手段】
【０００５】
本発明は、叙述の如き実情に鑑み、これらの課題を解決することを目的として創作されたものであって、請求項1に記載の発明は、シャッターカーテンの下端部に錠装置を設け、前記錠装置の開錠操作レバーに操作ひもを取付けてシャッター開閉操作するようにした窓シャッターであって、操作ひもの一端を錠装置の開錠操作レバーに取付け、他端を錠本体部又は座板に取付けて前記操作ひもを略ループ状とし、前記操作ひもの中間部を引き上げ引き下げすることでシャッター開閉操作するようにしたことを特長とするものである。
【発明の効果】
【０００６】
請求項１に記載の発明とすることにより、シャッターの開閉操作時に操作ひもを通して開錠操作レバーにかかる力が軽減されて、開錠操作レバー及び関連部材を必要以上に堅牢化しなくてもよいものである。
【図面の簡単な説明】
【０００７】
【図１】窓シャッター装置の閉鎖状態を示す外観正面図である。
【図２】シャッター閉鎖状態の要部内観正面図である。
【図３】他の実施の形態の、シャッター閉鎖状態の要部内観正面図である。
【発明を実施するための形態】
【０００８】
つぎに、本発明の実施の形態について、図面に基づいて説明する。図において、１は、窓シャッター装置であって、該窓シャッター装置１は、窓開口部を閉鎖するシャッターカーテン３、シャッターカーテン３を巻取り収納する（図示しない巻取シャフトを内蔵する）シャッターケース２、シャッターカーテン３の左右両端を案内するガイドレール１１、左右のガイドレール１１、１１の間に掛け渡されて全閉時にシャッターカーテン３の下端部が当接する下枠１３を有している。また、前記シャッターカーテン３は、多数のスラット４からなり最下端には座板５が連結されている。
【０００９】
座板５の開口幅方向の中間には錠装置６が設けられ、該錠装置６には座板５の開口幅方向の左右両端部から出没自在のラッチバー６ｃがあり、シャッター全閉時にはラッチバー６ｃがガイドレール１１に固着したラッチ受け１２に係止することで施錠されるようになっている。シャッター全閉状態で、開錠操作レバー６ｄを手指で上方（仮想線の位置）へ持ち上げるとラッチバー６ｃが仮想線の位置へ引き込まれ開錠され、続けて開錠操作レバー６ｄを上へ持ち上げるとシャッターカーテン３が開放される。なお、シャッターカーテン３を開放状態から閉鎖したときは、ラッチバー６ｃがラッチ受け１２の斜面に当接しながら座板内に没入し、ラッチ受け１２の下方に達したときにラッチバー６ｃが突出して自動的に施錠されるようになっているが、従来通りの機構であるため、その詳細説明は省略する。
【００１０】
錠装置６の（図示しないラッチ駆動機構を内蔵する）錠本体部６ａには取付片６ｂが固着されており、該取付片６ｂと開錠操作レバー６ｄの間に操作ひも８が連結されている。また、操作ひも８を持ち上げると略ループ状になり、そのほぼ上端位置に操作ひも８を着脱自在に係止するフック７がスラット４に固着されている。また、操作ひも８をフック７から外すと、操作ひも８は下方に略ループ状に垂れ下がるようになっている。なお、本実施の形態では、操作ひも８の一端を開錠操作レバー６ｄに他端を錠本体部の取付片６ｂに結びつけたが、他端は座板５の適宜箇所に取付けても良く、後述する他の実施の形態でも同様である。
【００１１】
次に、シャッターカーテン３を開閉する手順を説明する。シャッターカーテン３が全閉位置（施錠状態にある）あるときは、操作者がフック７から操作ひも８を外してループ状になった操作ひも８の中間部を手指で上へ持ち上げると開錠操作レバー６ｄが上方へ回動してラッチバー６ｃが引き込まれて開錠状態となり、続いてシャッターカーテン３が上方へ持ち上げられて開放される。シャッターカーテン３が上動する途中で操作者が操作ひも８を放すと、図示しない開閉バランス用スプリングの作用で上限まで開放され、操作ひも８が座板５からループ状に垂れ下がった状態で停止する。次に操作者が、全開位置でループ状に下がった操作ひも８の中間部を引き下げるとシャッターカーテン３が降下して全閉位置で自動的に施錠され停止する。その後、操作者が操作ひも８の中間部をフック７に掛けておくと、次にシャッターカーテン３を開放するときに屈まずに開錠、開放操作ができることになる。また、シャッターカーテン３を開閉する際、操作者の力が操作ひも８の両端の取付片６ｂと開錠操作レバー６ｄとに分散され、開錠操作レバー６ｄにかかる負荷が軽減されることになる。
【００１２】
図３は他の実施の形態であるが、操作ひも８の構成が異なっていること、操作ひも８の一の端部に吊り玉１０が設けられていること、及び取付片６ｂが錠本体部６ａの上部にあること以外は、先に説明した実施の形態と同様の構成であり、同じ部材には同じ番号を付した。操作ひも８は、結束点８ｄから３本に分かれていて、結束点８ｄと開錠操作レバー６ｄとの間に連結された開錠ひも８ａと、結束点８ｄと取付片６ｂとの間に連結された開閉ひも８ｂと、結束点８ｄと吊り玉１０との間に連結された手元ひも８ｃとから構成されている。開錠ひも８ａと開閉ひも８ｂとの長さは、結束点８ｄを上方へ引上げて開錠操作レバー６ｄが回動動作の上限位置まで動作したときに２本のひもが緩み無くほぼ同じ張力が加わるように調整されている。同時に、結束点８ｄを下方へ引下げたときは、開閉ひも８ｂのみに張力が加わり、開錠ひも８ａには緩みが残るように調整されている。
なお、手元ひも８ｃの長さは、開閉ひも８ｂと手元ひも８ｃとを併せた全長が約５０ｃｍとなるように調整されており、また、手元ひも８ｃの吊り玉１０には、図示しない磁石が装着され、吊り玉１０をシャッターカーテン３の適宜な位置に取付ができるようになっている。
【００１３】
ここで、（取付片６ｂの）開閉ひも８ｂの取付位置（穴）は、開錠操作レバー６ｄが回動動作した場合における開錠ひも８ａの取付位置（穴）の上限位置と下限位置（一般には施錠位置）との中間より上に在ることが必要で、本実施の形態では前記上限位置のさらに上方に位置されている。なお、操作ひも８の構成は、３本のひもを結束点で結ぶ構造の他に、１本の長いひもの中間部に約半分の長さのひもを結んで構成するなど、どのように構成しても良い。
【００１４】
次に、本実施の形態の開閉動作について説明する。シャッター閉鎖時は吊り玉１０を錠装置６上方のシャッターカーテン３に磁着しておき、開放する際は、該吊り玉６を取り外して上方へ引上げると初めに開錠操作レバー６ｄが上動して開錠され、次に開錠ひも８ａ及び開閉ひも８ｂを通して錠本体部６ａと開錠操作レバー６ｄに引上げる力が伝わってシャッターが開放される。このとき、シャッターを開放する力は、開錠操作レバー６ｄと錠本体部６ａが分担して負担するため、開錠操作レバー６ｄにかかる負荷が軽減される。シャッター全開時、吊り玉１０を座板５の下方に吊り下げておき、閉鎖の際に該吊り玉１０を下方へ引下げると手元ひも８ｃ、結束点８ｄ、開閉ひも８ｂを介して引下げる力が錠本体６ａに伝わりシャッターは閉鎖される。このとき、開錠ひも８ａには引下げ力が伝わらず、開錠操作レバー６ｄには下方への負荷がかからない。
【符号の説明】
【００１５】
１    窓シャッター装置
２    シャッターケース
３    シャッターカーテン
４    スラット
５    座板
６    錠装置
７    フック
８    操作ひも
１０    吊り玉
１１    ガイドレール
１２    ラッチ受け
１３    下枠
【図１】
2010203059.tif 000003
【図２】
2010203059.tif 000004
【図３】
2010203059.tif 000005